(57)【要約】【課題】  恰も展示物が宙に浮いているかの如き錯覚を購買者に与え、その購入意欲を頗る増大させ得るディスプレイができる展示装置を提供する。【解決手段】  比較的硬質の合成樹脂で造られ、略中心部に設けた展示物の展示窓がある四角形状外枠の一対一組を開閉可能に重なり合わせ、上記重なり合う展示窓の対向面を覆う極薄い伸縮性を有する樹脂フィルム体で張設し、かつ四隅を偏平なものとした側隅部と、同比較的硬質の合成樹脂で造られ、一辺が開放された半月状の開放窓を有し、さらに上記外郭本体の襠幅と内幅が略等しい断面コ字型の中空な矩形体からなる一対一組のカバー本体とよりなり、上記外郭本体の一側を一方のカバー本体に密に嵌挿し、他側を他方のカバー本体に密に嵌挿した際、カバー本体の開放窓と外郭本体の展示窓が合致し、かつカバー本体は高さ方向に連なり全体的に略々正四角形となしてなる。【選択図】図１
2007061109.tif 000002
【特許請求の範囲】
【請求項１】
比較的硬質の合成樹脂で造られ、略中心部に設けた展示物の展示窓がある四角形状外枠の一対一組を開閉可能に重なり合わせ、上記重なり合う展示窓の対向面を覆う極薄い伸縮性を有する樹脂フィルム体で張設し、かつ四隅を偏平なものとした側隅部分と、同比較的硬質の合成樹脂で造られ、一辺が開放された半月状の開放窓を有し、さらに上記外郭本体の襠幅と内幅が略等しい断面コ字型の中空な矩形体からなる一対一組のカバー本体とよりなり、
上記外郭本体の一側を一方のカバー本体に密に嵌挿し、他側を他方のカバー本体に密に嵌挿した際、カバー本体の開放窓と外郭本体の展示窓が合致し、かつカバー本体は高さ方向に連なり全体的に略々正四角形となる、
ことを特徴とした立体展示具の組み合わせ装置。
【発明の詳細な説明】
【技術分野】
【０００１】
この発明は、指輪やネックレスなどの装飾品や，時計や珍しいコインなどの高級でしかも各部位からみせられるように展示するための商品の立体展示具の組み合わせ装置に関し、具体的には展示物を弾性的に保持して、恰も宙に遊泳するかのように見え、かつ展示物をその表裏から透明フィルムを通してよく観察することができるようにした商品の立体展示装置に関する。
【背景技術】
【０００２】
この種の従来技術しては、透明な２枚のフィルムの間に、展示物を入れ、その周囲を共通の枠体に止める構造のものは案出されている。
【０００３】
それはプラスチックフィルムを利用して立体展示物を弾性的に保持するもので、たとえば一方が開いた箱の底に相当する面を切り抜き、そこへ弾性をもったプラスチックフィルムを貼って製作した枠を２枚用意し、フィルムを対向させて配置してその間に展示物を挟んだ物を、外箱の中に入れたものがある。〔特許文献１参照〕
【０００４】
このような構造の展示装置において、その展示物がよく見えるようにと孔の占める部分を大きくすると、フィルムや枠の強度に不安が生じる。
【０００５】
またこの種従来技術のものは、一対のフィルムが共通の枠体に固着されているため、その間に介在されている展示物を交換することができない。
【０００６】
さらにこれら枠体を積み重ねるなど同時に多数の展示物を使用者の興味本位に展示するのに適したものでなかった。
【特許文献１】登録実用新案第３０５００５９号（明細書）
【発明の開示】
【発明が解決しようとする課題】
【０００７】
本発明の目的は、恰も展示物が宙に浮いているかの如き錯覚を購買者に与え、その購入意欲を頗る増大させる展示装置を提供できたことである。
【０００８】
他に本発明の目的は、仮令展示物に激しい振動等があっても、宙に浮いた如き展示状態が損われることがない、展示装置を提供できたことである。
【０００９】
他に本発明の目的は、かかる展示物を恰も宙に浮かせる作業を容易な手段で、しかも確実になし得るようにした展示装置を提供できたことである。
【００１０】
他に本発明の目的は、展示物を展示するに際し、できるだけ忠実にリアルに展示物の外観を表示できる展示装置を提供できたことである。
【００１１】
かかる展示物を保持した外部本体及び外套本体は、ショーケースの上などで安定した状態で載置できるようにしたことも本発明の目的の１つである。
【００１２】
他に本発明の目的は、１つの上記外套本体上から直線方向に順次安定状態で重ね合せられるようにした展示装置を提供できたことである。具体的に本発明の目的とするところは、展示物が展示具から容易に離脱したり型崩れなどしない展示具の組み合わせ装置を提供することにある。
【課題を解決するための手段】
【００１３】
而して本発明の特徴は、比較的硬質の合成樹脂で造られ、略中心部に設けた展示物の展示窓がある四角形状外枠の一対一組を開閉可能に重なり合わせ、上記重なり合う展示窓の対向面を覆う極薄い伸縮性を有する樹脂フィルム体で張設し、かつ四隅を偏平なものとした側隅部を有することである。
【００１４】
また同比較的硬質の合成樹脂で造られ、一辺が開放された半月状の開放窓を有し、さら上記外郭本体の襠幅と内幅が略等しい断面コ字型の中空な矩形体からなる一対一組のカバー本体を有することも、その特徴である。
【００１５】
そして、上記外郭本体の一側を一方のカバー本体に密に嵌挿し、他側を他方のカバー本体に密に嵌挿した際、カバー本体の開放窓と外郭本体の展示窓が合致し、かつカバー本体は高さ方向に連なり全体的に略々正四角形となる、ようにしたことがその特徴である。
【発明の効果】
【００１６】
総じて本発明の効果は展示物を恰も宙に浮かせ、しかも表裏両面，左右からもみられるように展示でき、以って購買者の購買意欲を頗る増大させ得たことである。
【００１７】
他に本発明の効果は、上記展示物に激しい振動があっても、宙に浮いた状態が保たれるように工夫したことである。
【００１８】
他に本発明の効果は上記展示物の交換が容易で度び重る使用でも、展示状態が崩れるような虞れがないように工夫されていることである。
【００１９】
他に本発明の効果は上記展示物を収容した外部本体は直線方向に積み重ねられるようになっており、複数の展示物を正面から一度にみられ、かつこの積み重ねられた状態は容易には崩れないような工夫がなされていることである。
【００２０】
また特に本発明の効果としては、展示された展示物のその周囲外観に沿って保持され、展示物の外観形状を損うことなく展示されることである。
【００２１】
また、上記のフィルム体間に特に嵩張った展示物を介在させた際、その外郭本体を上記カバー本体に嵌合させる操作が困難であったが、かかる場合でも外郭本体を容易にしかも確実にカバー本体に嵌合できるようにしたことである。
【００２２】
なお本発明には他に秀れた特徴作用効果があるが、それらは以下の実施例で順次明らかにする。
【実施例１】
【００２３】
図で（１）（１）’は比較的硬質の合成樹脂で造られた巾の狭い四角形状の外枠であり、（２）（２）’はその略中心部に設けた展示物の展示窓である。
【００２４】
（３）（３）’はこの展示窓（２）（２）’を覆う極く薄い伸縮性を有する樹脂フィルム体であり、その素材としては、ポリウレタンフィルムが好ましいが、勿論これに限定される必要がなく、一定の圧力で伸縮出来るものであれば良い。ただこの場合、かかるフィルム体（３）（３）’は透明あるいは少なくとも半透明であることが肝要である。
【００２５】
（４）は以上の構成よりなる外郭本体であって、これを一対（４）（４’）設け、それぞれのフィルム体（３）（３’）を密に重ね合わせている。なお図５のように上記一対の外郭本体（４）（４’）の対向面は、それぞれの外方向が凹んだ略凹状の窪み部（５）（５’）があり、上記フィルム本体（３）（３’）の該周囲を窪み部（５）（５’）に添わせて、該窪み部（５）（５’）内に入れ、この窪み部（５）（５’）とフィルム本体（３）（３’）の外周囲熔着したものであり、斯く成すことによって、その熔着面積は単に外郭本体（４）の対向線部のみ熔着されているものと異なり、頗る拡大され、その分だけ熔着力が強くなる事になる。
【００２６】
その結果、このフィルム本体（３）（３’）の間に図６のような比較的大きい展示物（Ａ）を介在させても、フィルム本体（３）（３’）と一対の外郭本体（４）（４’）との熔着が外れる虞がないのである。
【００２７】
図３で（８）は下記一対の外郭本体（４）（４’）を保持するカバー本体であり、上部カバー本体（８）と下部カバー本体（８’）があって、それぞれは断面が略「コ」字形の直方体であり、この「コ」字形の内襠巾（７）は上記重ねられた外郭本体（４）（４’）の巾と略等しい。
【００２８】
また上記カバー本体（８）（８’）は高さ方向に重なり合うときは、正四角形となるよう重なり合うことができ、それぞれ対向面は開放（６）されている。
【００２９】
またそれぞれの開放（６）辺の中心部には前記外郭本体（４）（４’）の展示窓（２）（２’）の半径と等しい半月状の開放（６’）があり、これに上記上下カバー本体（８）（８’）を高さ方向に重ね合わせた時かかる半月状の開放窓（６’）は正円となるようになっている。
【００３０】
また図３で、（９）（９’）は上カバー本体（８’）の上面、即ち開放（６）の反対面に間隔を置いて設けた２個の嵌合突起であり、（１０）（１０）は下カバー本体（８）の底面にあって上記上カバー本体（８）’の突起（９）（９’）と嵌合出来る凹欠部である。
【００３１】
なお、この場合これら突起（９）（９’）、凹欠部（１０）（１０’）を２個としているが、これに限る事無く２個以上あればいくつでもよい。
【００３２】
ようはこれらカバー本体（８）（８’）を積み重ねた時、それぞれを密に嵌合させ少しの振動などでもその積み重ね状態が崩れなくなるよう工夫されれば良い。
【００３３】
而して図６に示すように、まず展示物（Ａ）を外郭本体（４）（４’）のフィルム本体（３）（３’）間に介在させる。この場合展示物（Ａ）は写真の額のように主に片面だけを展示するようなものではなく、６面のいずれからも鑑賞出来、しかも立体的なものが好ましい。
【００３４】
そこで外郭本体（４）（４’）のそれぞれのフィルム体（３）（３’）を強く展示物（Ａ）に押し当てるのであるがこの場合、一対の外郭本体（４）（４’）の対向面を全て接するようにするには相当強い力が必要である。そこで仮令えば、外郭本体（４）（４’）の下辺のみ沿わせ、下カバー本体（８）の開放（６）部に下辺を嵌入する。このとき、外郭本体（４）（４’）の下方の両側隅部（１１）（１１’）は、それぞれ偏平になっているから、外郭本体（４）（４’）の下辺を斜めに挿入するなどすれば、極く容易に下カバー本体（８）内に外郭本体（４）（４’）を嵌装させることができる。
【００３５】
続いて、上カバー本体（８）の開放（６）部に一対の外郭本体（４）（４’）の上辺部を嵌合することになるが、これも上記同様の手段で容易に行えるのである。
而して、フィルム体（３）（３’）は展示物（Ａ）の外観形状に添って該展示物（Ａ）を保持する。この場合かかるフィルム体（３）（３’）は透明であるから、恰も展示物（Ａ）は宙に浮いたかのような様相を呈することになる。
またこの場合、上記のようにフィルム体（３）（３’）の外側周囲は外郭本体（４）（４’）の凹状の窪み部に添わせて熔着したもので、その熔着面積が比較的広くその結果比較的大きな展示物（Ａ）を挟んでも、フィルム体（３）（３’）が外郭本体（４）（４’）から外れたり破れたり傷がついたりするような問題が生じないのである。
【００３６】
そして、外郭本体（４）（４’）および上下カバー本体（８）（８’）は、この状態即ちこの嵌合された直立状態で、店頭に並べて商品のデコレーションとして用いたり、あるいは自分の机などに置いて展示物として鑑賞したりすればよく、特に宝石や腕時計や各種キャラクター玩具などを挿入することによって、これは立体的にどの面からも見ることが出来、実に興味深い斬新なディスプレイとする事が出来たのである。
【００３７】
なお、かかる展示物（Ａ）及び外郭本体（４）（４’）、並びにカバー本体（８）（８’）を一体と成した展示ケース体は、その単体で展示物（Ａ）を鑑賞するに用いられる外、図７に見られるように正面直方体状の壁のように、或いはここでは図示しないが展示ケース体の複数個をピラミッド形に積み重ねれば、立体的な商品あるいはキャラクターを多数展示する事が出来るもので、見る者に多大な興味を持たせ、商品の場合は購買者の購買意欲を増大させ得るのである。
【００３８】
なお、この場合かかる展示ケース体の上面には複数の突起（９）（９’）があり、これに積み重ねられる展示ケース体の底面には凹欠部（１０）（１０’）があり、それぞれ適宜、仮令えば、水平状態で隣り合う対の展示ケース体がある場合は、それぞれの展示ケース体に跨るように嵌合させることで、展示ケース体群に仮令振動などがあっても全体的に崩れるような虞は無いのである。
【符号の説明】
【００３９】
Ａ        展示物
１，１’  外枠
２，２’  展示窓
３，３’  フィルム体
４，４’  外郭本体
５，５’  窪み部
６        開放窓
７        襠幅
８，８’  カバー本体
９，９’  嵌合突起
１０，１０’  凹欠部
１１，１１’  側隅部
【図面の簡単な説明】
【００４０】
【図１】外郭本体の正面斜視図
【図２】外郭本体の正面図
【図３】カバー本体の斜視図
【図４】外郭本体の側面図
【図５】同断面図
【図６】外郭本体に展示物を介在させている状態の断面説明図
【図７】展示ケースの積み重ね状態を説明する一実施例図１
【図１】
2007061109.tif 000003
【図２】
2007061109.tif 000004
【図３】
2007061109.tif 000005
【図４】
2007061109.tif 000006
【図５】
2007061109.tif 000007
【図６】
2007061109.tif 000008
【図７】
2007061109.tif 000009